(57)【要約】【課題】付勢部材を備えてダンピングを行う回転ダンパ−装置で中立位置から双方向への回転に対し何れへもダンピングを可能とする。  【解決手段】内部に作動液体を封入したケース３と、ケース３内に相対回転可能に設けられ回転方向の中立位置から双方向何れかへの回転時にケース３に対し作動液体の抗力を受ける回転体５と、回転体５に結合された出力軸とを備えた回転ダンパー装置１であって、前記ケース３と回転体５との間に、回転体５を前記中立位置に戻すためのコイル・スプリング９を設けたことを特徴とする。【選択図】図２
2009144819.tif 000002
【特許請求の範囲】
【請求項１】
内部に作動液体を封入したケースと、
該ケース内に相対回転可能に設けられ回転方向の中立位置から双方向何れかへの回転時に前記ケースに対し前記作動液体の抗力を受ける回転体と、
前記回転体に結合された出力軸と、
を備えた回転ダンパー装置であって、
前記ケースと回転体との間に、前記回転体を前記中立位置に戻すための付勢部材を設けた、
ことを特徴とする回転ダンパー装置。
【請求項２】
請求項１記載の回転ダンパ−装置であって、
前記付勢部材は、コイル部の両端にコイル周方向で同方向に延設された一対のトルク・アームを有するコイル・スプリングであり、
前記コイル部を、前記ケースの係止突部に嵌合支持し、
前記トルク・アーム間に、前記ケース側の係合部及び前記回転体側の可動突部を回転半径方向に並ぶように介設した、
ことを特徴とする回転ダンパー装置。
【請求項３】
請求項２記載の回転ダンパー装置であって、
前記係止突部は、前記回転体の回転中心から外れて回転半径上に突設され、
前記ケース側の係合部は、前記係止突部に前記回転軸心を挟んで対向するように前記回転半径上で前記ケースの内周面に突設され、
前記可動突部は、前記係合部と前記回転中心との間に設けられた、
ことを特徴とする回転ダンパー装置。
【請求項４】
請求項２記載の回転ダンパー装置であって、
前記係止突部は、前記回転体の回転中心上に突設され、
前記ケース側の係合部は、前記係止突部に対向するように前記回転半径上で前記ケースの内周面に突設され、
前記可動突部は、前記係合部と前記回転中心との間に設けられた、
ことを特徴とする回転ダンパー装置。
【発明の詳細な説明】
【技術分野】
【０００１】
本発明は、開閉扉の開閉動作等のダンピングを行う回転ダンパ−装置に関する。
【背景技術】
【０００２】
従来より、コイル・スプリングを内蔵してダンピングを行う回転ダンパ−装置がある。
【０００３】
この回転ダンパー装置は、開閉体の閉じ方向の動作をダンピングする場合等に用いられるものであり、コイル・スプリングの弾性力を利用し、一方向のダンピング特性となっていた。
【０００４】
このため、中立位置から双方向への回転に対し何れへもダンピングするという機能は無く、両開きの回転扉などのダンピングをすることができなかった。
【０００５】
【特許文献１】特開２０００−１７０８１３号公報
【特許文献２】特開２００６−２７５２５０号公報
【発明の開示】
【発明が解決しようとする課題】
【０００６】
解決しようとする問題点は、付勢部材を備えてダンピングを行う回転ダンパ−装置には、中立位置から双方向への回転に対し何れへもダンピングするという機能が無かった点である。
【課題を解決するための手段】
【０００７】
本発明は、付勢部材を備えてダンピングを行う回転ダンパ−装置で中立位置から双方向への回転に対し何れへもダンピングを可能とするため、内部に作動液体を封入したケースと、該ケース内に相対回転可能に設けられ回転方向の中立位置から双方向何れかへの回転時に前記ケースに対し前記作動液体の抗力を受ける回転体と、前記回転体に結合された出力軸とを備えた回転ダンパー装置であって、前記ケースと回転体との間に、前記回転体を前記中立位置に戻すための付勢部材を設けたことを最も主要な特徴とする。
【発明の効果】
【０００８】
本発明は、内部に作動液体を封入したケースと、該ケース内に相対回転可能に設けられ回転方向の中立位置から双方向何れかへの回転時に前記ケースに対し前記作動液体の抗力を受ける回転体と、前記回転体に結合された出力軸とを備えた回転ダンパー装置であって、前記ケースと回転体との間に、前記回転体を前記中立位置に戻すための付勢部材を設けた。
【０００９】
従って、付勢部材の付勢により回転体を中立位置へ戻すことができるから、回転体は、回転方向の中立位置から双方向何れへの回転時にもケースに対し作動液体の抗力を受ける。このため、出力軸に結合さる開閉扉等のダンピングを、中立位置から双方向で行わせることができる。
【発明を実施するための最良の形態】
【００１０】
付勢部材を備えてダンピングを行う回転ダンパ−装置で中立位置から双方向への回転に対し何れへもダンピングを可能とするという目的を、回転体を前記中立位置に戻すための付勢部材により実現した。
【実施例１】
【００１１】
図１〜図３は本発明の実施例１に係り、図１は、回転ダンパ−装置の概略断面図、図２は、図１のＩＩ−ＩＩ線矢視断面図、図３は、図１のＩＩＩ−ＩＩＩ線矢視断面図である。
【００１２】
［回転ダンパー装置とコイル・スプリング］
図１，図２のように、回転ダンパー装置１は、ケース３と、回転体５と、出力軸７と、付勢部材であるコイル・スプリング９とを備えている。
【００１３】
前記ケース３は、樹脂或いは金属により断面円形の筒状に形成され、軸方向の両端部に、端壁１１，１３を備えて、内部にシリコン・オイルなどの作動液体が封入されている。
【００１４】
前記端壁１１には、係止突部１５及び係合部１７が突設されている。係止突部１５は、回転体５の回転中心から外れて回転半径上に軸方向に断面円形に突設されている。係合部１７は、係止突部１５に前記回転軸心を挟んで対向するように前記回転半径上で前記ケース３の内周面３ａに径方向内側へ突設され、断面は矩形状に形成されている。端壁１１の回転軸心位置には、軸受け穴１９が設けられている。
【００１５】
前記回転体５は、一端の回転軸心部に前記出力軸７が一体に、又は別体設けられ、他端の回転軸心部に軸部２１が突設されている。この回転体５の他端には、軸部２１よりも半径方向外側に可動突部２３が断面円形状に突設されている。可動突部２３の直径は、軸部２１の直径及び係合部１７の周方向幅と同等に設定されている。
【００１６】
前記出力軸７は、ケース３の端壁１３における孔２５から外部へ突出している。出力軸７と端壁１３との間には、オー・リング２７が介設されている。軸部２１は、ケース３の軸受け穴１９に回転自在に支持されている。
【００１７】
従って、回転体５は、ケース３内に相対回転可能に設けられ回転時に外周面が前記ケース３に対し前記作動液体の剪断抵抗を受ける構成となっている。
【００１８】
前記コイル・スプリング９は、前記ケース３と回転体５との間に介設され、前記回転体５を前記中立位置に戻すための付勢力を発生する。このコイル・スプリング９は、コイル部２９の両端にコイル周方向で同方向に延設された一対のトルク・アーム３１，３３を有している。トルク・アーム３１，３３の長さは等しく、対向幅は、軸部２１及び可動突部２３の直径と同等に設定されている。
【００１９】
前記コイル部２９は、前記係止突部１５に嵌合支持され、トルク・アーム３１，３３の先端は、係合部１７の両側を挟むように係合し、トルク・アーム３１，３３間に、前記ケース側の係合部及び前記回転体側の可動突部を回転半径方向に並ぶように介設しされている。前記可動突部２３は、前記係合部１７と前記回転中心となる軸部２１との間に設けられた構成となっている。
【００２０】
［回転ダンパー装置の取り付け及び動作］
前記回転ダンパー装置１は、図４，図５のように取り付けられる。
【００２１】
図４，図５ように、回転扉６５，６７は、ヒンジ６９，７１により開口７３に取り付けられている。
【００２２】
回転扉６５，６７は、図４の閉じ状態が中立位置となっており、この中立位置から矢印Ａ，Ｂの何れの方向へも開動可能となっている。
【００２３】
前記回転ダンパー装置１は、前記ヒンジ６９，７１に取り付けられている。すなわち、回転ダンパー装置１のケース３が開口７３側に固定して取り付けられ、出力軸７が、ヒンジ６９，７１の回転軸に結合されている。
【００２４】
この結合状態において、回転扉６５，６７の中立位置では、回転ダンパー装置１のコイル・スプリング９も図１，図２の中立位置にある。
【００２５】
人が通り過ぎるなどして前記回転扉６５，６７が矢印Ａ又は矢印Ｂの何れかの方向、例えば矢印Ａ方向へ回転動作されると、回転ダンパー装置１の出力軸７に回転扉６５，６７の回転力が入力される。
【００２６】
この場合、回転扉６５，６７での回転ダンパー装置１の作用は、同一であるから、回転扉６５について説明する。
【００２７】
回転扉６５からの回転力の入力で回転ダンパー装置１の回転体５が回転し、可動突部２３が例えば図２の矢印Ｃ方向へ旋回移動する。この可動突部２３の旋回移動により、コイル・スプリング９の一方のトルク・アーム３１が回転方向へ力を受け、同方向へ撓み移動する。
【００２８】
この時、他方のトルク・アーム３３がケース３の係合部１７に係止され、静止状態であるから、トルク・アーム３１，３３間が開き、コイル部２９に力が働く。この力によりコイル部２９が撓み、コイル・スプリング９は、弾発力を発揮し、可動突部２３へ旋回移動方向とは逆向きの付勢力を働かせる。
【００２９】
従って、人が通り過ぎて回転扉６５がフリーになると、コイル・スプリング９の付勢力により回転体５が元の中立位置へ戻ろうとして自動的に復帰回転する。
【００３０】
この時、回転体５に働く前記のような作動液体によるダンパー・トルクにより回転扉６５のダンピングを行わせることができる。このダンピングにより回転扉６５を中立位置へ静かに戻すことができる。
【００３１】
このダンピング動作において、コイル・スプリング９の弾発力をある程度強くして回転扉６５の戻りを早くすると、回転扉６５が例えば矢印Ａから中立位置を過ぎて矢印Ｂ方向へ若干回転することがある。
【００３２】
このとき、可動突部２３がトルク・アーム３３に力を働かせ、トルク・アーム３３が同方向へ撓み移動する。このトルク・アーム３３の撓み移動により前記同様にコイル部２９に力が働き、コイル・スプリング９の弾発力の働きと作動液体によるダンパー・トルクとにより回転体５を前記中立位置へ静かに早期に戻すことができる。
【００３３】
［実施例１の効果］
本発明の実施例１は、内部に作動液体を封入したケース３と、該ケース３内に相対回転可能に設けられ回転方向の中立位置から双方向何れかへの回転時に前記ケース３に対し前記作動液体の抗力を受ける回転体５と、前記回転体５に結合された出力軸７とを備えた回転ダンパー装置１であって、前記ケース３と回転体５との間に、前記回転体５を前記中立位置に戻すためのコイル・スプリング９を設けた。
【００３４】
従って、コイル・スプリング９の付勢により回転体５を中立位置へ戻すことができるから、回転体５は、回転方向の中立位置から双方向何れへの回転時にもケースに対し作動液体の抗力を受けることができる。このため、出力軸７に結合さる開閉扉６５，６７のダンピングを、中立位置から双方向で行わせることができる。
【００３５】
前記コイル・スプリング９は、コイル部２９の両端にコイル周方向で同方向に延設された一対のトルク・アーム３１，３３を有するコイル・スプリング９であり、前記コイル部２９を、前記ケース３の係止突部１５に嵌合支持し、前記トルク・アーム３１，３３間に、前記ケース３側の係合部１７及び前記回転体５側の可動突部２３を回転半径方向に並ぶように介設した。
【００３６】
このため、回転体５が中立位置から回転したとき可動突部２３がトルク・アーム３１，３３の一方を移動させると共に、トルク・アーム３１，３３の他方をケース３側の係合部１７に係止させておくことができる。
【００３７】
従って、コイル・スプリング９の弾発力によりトルク・アーム３１，３３を介し回転体５を中立位置へ確実に戻すことができる。
【００３８】
前記係止突部１５は、前記回転体５の回転中心から外れて回転半径上に突設され、前記ケース３側の係合部１７は、前記係止突部１５に前記回転軸心を挟んで対向するように前記回転半径上で前記ケース３の内周面３ａに突設され、前記可動突部２３は、前記係合部１７と前記回転中心との間に設けられた。
【００３９】
このため、コイル部２９と可動突部２３との距離を大きくすることができ、コイル・スプリング９による弾発力の設定自由度を拡げることができる。
【実施例２】
【００４０】
図６，図７は、本発明の実施例２に係り、図６、回転ダンパ−装置の一部省略概略断面図、図７は、図６のＶＩＩ−ＶＩＩ線矢視断面図である。
【００４１】
なお、基本的な構成は、実施例１と同様であり、同一又は対応する構成部分には同符号又は同符号にＡを付し、重複説明は省略する。
【００４２】
図６，図７のように、本実施例の回転ダンパー装置１Ａは、係止突部１５Ａを、前記回転体５の回転中心上に突設したものである。具体的には、係止突部１５Ａを回転体５の軸部２１Ａを共用した。
【００４３】
コイル・スプリング９Ａは、一対のトルク・アーム３１Ａ，３３Ａが短く、コイル部２９Ａが係止突部１５Ａである軸部２１Ａに嵌合して取り付けられている。
【００４４】
従って、回転体５の回転によりトルク・アーム３１Ａ，３３Ａの一方が、可動突部２３から力を受け、トルク・アーム３１Ａ，３３Ａの他方が、係合部１７に係止されるのは、実施例１と同様である。
【００４５】
このため、本実施例２でも、実施例１と同様な作用効果を奏することができる。
【００４６】
一方、本実施例では、トルク・アーム３１Ａ，３３Ａが短いから、コイル・スプリング９Ａが、実施例１のコイル・スプリング９と同一の線径であっても、大きな弾発力を発生させることができる。
［その他］
本発明の回転ダンパー装置は、回転体が作動液体の抗力受けることでダンピングができ、且つ付勢部材により回転体を中立位置へ自動復帰させることができるものであればよく、作動液体により効力を発生させる回転体等の具体的構成は、特に限定されるものではない。
【００４７】
付勢部材は、トルク・アームを備えたコイル・スプリングに限らず、ケース側に周方向に湾曲して配置したコイル・スプリングの一端部に回転体側の突部を係合させるように構成することもできる。
【００４８】
付勢部材としても、コイル・スプリングに限るものではない。
【図面の簡単な説明】
【００４９】
【図１】回転ダンパ−装置の概略断面図である。（実施例１）
【図２】図１のＩＩ−ＩＩ線矢視断面図である。（実施例１）
【図３】図１のＩＩＩ−ＩＩＩ線矢視断面図である。（実施例１）
【図４】回転扉の取り付け状態概略平面図である。（実施例１）
【図５】回転扉の取り付け状態概略正面図である。（実施例１）
【図６】回転ダンパ−装置の概略断面図である。（実施例２）
【図７】図７のＶＩＩ−ＶＩＩ線矢視断面図である。（実施例２）
【符号の説明】
【００５０】
１，１Ａ  回転ダンパー装置
３  ケース
３ａ  内周面
５  回転体
７  出力軸
９  コイル・スプリング（付勢部材）
１５，１５Ａ  係止突部
１７  係合部
２３  可動突部
２９  コイル部
３１，３１ａ，３３，３３ａ  トルク・アーム
【図１】
2009144819.tif 000003
【図２】
2009144819.tif 000004
【図３】
2009144819.tif 000005
【図４】
2009144819.tif 000006
【図５】
2009144819.tif 000007
【図６】
2009144819.tif 000008
【図７】
2009144819.tif 000009